(57)【要約】【課題】多数の利用者が１つの視聴機器で再生される配信動画・音声に対し同時に操作でき、かつ配信映像・音声の制御を視聴機器の種類に関係なく、同一の操作方法で視聴機器の操作を行うことができる動画・音声オンデマンド配信システムを提供する。【解決手段】視聴機器４，５は配信サーバ装置２にアクセスし、予め機器ＩＤを得る。そして携帯電話機８は同様に配信サーバ装置２にアクセスして視聴機器４，５と機器ＩＤと利用者ＩＤとを関連付ける。携帯電話機８から視聴機器を操作する操作情報を入力すると、その操作制御信号は配信サーバ装置から視聴機器に送られ、視聴機器で動画・音声を制御することができる。【選択図】図１
2008022121.tif 000002
【特許請求の範囲】
【請求項１】
多数の動画・音声ファイルを格納し、リクエストされた動画・音声ファイルを配信する配信サーバ装置と、ネットワークと、前記ネットワークを介して前記配信サーバ装置と通信し、リクエストに対し前記配信サーバ装置から配信される動画・音声を出力する視聴機器とからなる動画・音声配信システムにおいて、
前記視聴機器は前記配信サーバ装置に対しアクセスして該視聴機器に機器ＩＤを付与させる要求を行うＩＤ付与要求手段を有し、
携帯通信端末は、前記配信サーバ装置に該携帯通信端末を特定する情報を送って該携帯通信端末と視聴機器との関連付けさせるための要求を行う視聴機器関連付け要求制御手段を有し、
前記配信サーバ装置は、
前記視聴機器からの機器ＩＤ付与要求に対し、機器ＩＤを付与して前記視聴機器に送信するとともに該機器ＩＤをメモリ部に格納する機器ＩＤ付与処理手段と、
前記携帯通信端末からの携帯通信端末と視聴機器との関連付け要求に対し、前記携帯通信端末を特定する情報から携帯通信端末を認識し、前記携帯通信端末によって要求されたコンテンツの種類と付与された視聴機器の機器ＩＤの中から選択された機器ＩＤに基づき、コンテンツの種類，選択された機器ＩＤおよび携帯通信端末を特定する情報の関連付けを行って、該関連付け情報を前記メモリ部に格納する視聴機器関連付け処理手段と、
前記コンテンツの種類対応の操作情報を前記携帯通信端末に送信して出力させるための操作情報送信処理手段とを有し、
前記携帯通信端末に前記操作情報が入力されて前記配信サーバ装置に送信されたとき、前記配信サーバ装置は、携帯通信端末を特定する情報に関連付けられた機器ＩＤに対し、コンテンツの種類対応の操作情報を視聴機器に送信し、視聴機器が実行するコンテンツに対する操作の制御を行うことを特徴とする動画・音声オンデマンド配信システム。
【請求項２】
前記携帯通信端末を特定する情報は、携帯通信端末が送る利用者ＩＤまたは携帯通信端末の電話番号であることを特徴とする請求項１記載の動画・音声オンデマンド配信システム。
【請求項３】
前記コンテンツの種類は、タイトルが特定される個別のゲーム，映像，カラオケのコンテンツであり、
前記タイトルが特定される個別のゲームのコンテンツに対応する操作情報は、携帯通信端末の個別キーに対応付けた右移動，左移動，発射などであり、
前記タイトルが特定される個別の映像のコンテンツは、携帯通信端末の個別キーに対応付けた再生，停止，早送り，巻き戻しなどであり、
前記タイトルが特定される個別のカラオケのコンテンツは、携帯通信端末の個別キーに対応つけた演奏中止，キーアップ，マイク音量大などであることを特徴とする請求項１または２記載の動画・音声オンデマンド配信システム。
【発明の詳細な説明】
【技術分野】
【０００１】
本発明は、データベースより動画・音声のデータの配信を受け、配信された映像・音声のデータをＳＴＢ（セットトップボックス）やＰＣなどの視聴機器で再生できる動画・音声オンデマンド配信システムに関する。
なお、本発明で用いる「音声」には、オーディオに関する音響信号をすべて含むものとする。したがって、カラオケの楽曲，歌声，人が発する音声以外の音などが含まれる。
【背景技術】
【０００２】
従来の映像・音声のオンデマンド配信システムでは、受信装置側がサーバ装置側にコマンドを送り、サーバ装置側のデータベースが再生用の映像・音声を送信することにより受信装置で映像・音声を再生していた。
このシステムは、受信装置のメーカおよび型式が変わる度にシステムのコマンド送受信部を変更して合わせることが必要であり、開発コストおよび煩雑な管理が必要とされていた。また、受信装置側における利用者からの指示は、専用の装置に対しケーブルや赤外線を用いて行っていた。
このシステムでは同時に操作を行うためには、複数の指示装置を必要とするか、時間を空けて操作する必要があった。
【０００３】
図９に、従来の動画・音声オンデマンド配信システムの概略を示す。
従来の動画・音声オンデマンド配信システムは受信装置側の視聴機器としてモニタ７２ａ，ＰＣ本体７２ｂおよびキーボード７２ｃからなるパソコンシステムやＴＶ７３ａ，ＳＴＢ７３ｂおよび赤外線リモコン７３ｃよりなるＳＴＢシステムなどがある。
パソコンシステムへの配信では、視聴者は、キーボード７２ｃや図示しないマウスを利用して配信映像・音声に対して再生中トリックプレイ等の指示を行っていた。
また、ＳＴＢシステムに配信する場合は、ＳＴＢ７３ｂ専用の赤外線リモコン７３ｃを操作して再生中トリックプレイ等の指示を行っていた。
【０００４】
上記従来例では同一の映像・音声のオンデマンド配信しているにもかかわらず、配信先の装置毎に視聴機器の種類が複数存在し、利用者は各視聴機器毎にそれぞれ学習する必要があった。また、受信装置の入出力制御が異なる場合には、サーバ装置のデータベースに送られてくる利用者の操作命令を解釈し直す必要があった。
【０００５】
そこで本件発明者は動画・音声オンデマンド配信システムにおいて個々の視聴機器それぞれ配信される異なるコンテンツ（ゲーム，ビデオ再生，カラオケのそれぞれのコンテンツ）に対し、多数の携帯電話機がそのコンテンツに対応した操作情報を得て、携帯電話機に関連付けられた各視聴機器に対し、サーバ装置を介して操作可能にすることにより、多数の利用者が同じ配信動画などに対し同時に操作ができないかを考察した。
携帯電話をリモコンとして用いるものとしては特許文献１が提案されている。
これは、配信センタから多数のリモコンコードが配信され、このリモコンコードを携帯電話機が受信することにより、携帯電話機がリモコン信号でＶＴＲ，テレビ，エアコン等の各種装置を直接制御するものであり、動画配信される１つの視聴機器に対し、多数の利用者が同時に操作可能とするものとは全く異なるものであり、また、携帯電話機が専用のリモコンに代えて直接リモコン信号を上記ＶＴＲ，テレビ，エアコン等に向けて送出するものであり、サーバ装置からリモコン制御するものとは異なる。
【０００６】
また、カラオケシステムに携帯電話機をリモコンとして用いるものとして特許文献２が提案されている。
これはｗｅｂサーバからインターネットを介してカラオケに関するリモコン情報を携帯端末装置が受け、携帯端末装置がリモコン用アダプタを介してカラオケ制御装置にリモコン信号を送り、カラオケ演奏装置を制御するものであり、この提案も制御対象であるカラオケ制御装置を携帯端末装置が直接にリモコン制御できるようにしたもので、引用文献１と同様、サーバ装置からリモコン制御するものとは異なる。
【特許文献１】特開２００１−２８５９４５号公報
【特許文献２】特開２００３−１６２２８６号公報
【発明の開示】
【発明が解決しようとする課題】
【０００７】
本発明は、上記背景に鑑みなしたもので、その目的は、動画・音声オンデマンド配信システムにおいて個々の視聴機器（ＳＴＢやＰＣ）それぞれに配信される異なるコンテンツ（ゲーム，ビデオ再生，カラオケ再生などのそれぞれのコンテンツ）に対し、多数のＳＴＢやＰＣ環境で表示・再生できる形成の操作情報を携帯電話機に送信しておき、携帯電話機からその携帯電話機に関連付けられた各視聴機器に対しサーバ装置を介して操作情報を送信可能にすることにより、多数の利用者が１つの視聴機器で再生される配信動画等に対し同時に操作でき、かつ配信映像・音声の制御を視聴機器の種類に関係なく、同一の操作方法で視聴機器の操作を行うことができる動画・音声オンデマンド配信システムを提供することにある。
【課題を解決するための手段】
【０００８】
前記目的を達成するために本発明の請求項１は、多数の動画・音声ファイルを格納し、リクエストされた動画・音声ファイルを配信する配信サーバ装置と、ネットワークと、前記ネットワークを介して前記配信サーバ装置と通信し、リクエストに対し前記配信サーバ装置から配信される動画・音声を出力する視聴機器とからなる動画・音声配信システムにおいて、前記視聴機器は前記配信サーバ装置に対しアクセスして該視聴機器に機器ＩＤを付与させる要求を行うＩＤ付与要求手段を有し、携帯通信端末は、前記配信サーバ装置に該携帯通信端末を特定する情報を送って該携帯通信端末と視聴機器との関連付けさせるための要求を行う視聴機器関連付け要求制御手段を有し、前記配信サーバ装置は、前記視聴機器からの機器ＩＤ付与要求に対し、機器ＩＤを付与して前記視聴機器に送信するとともに該機器ＩＤをメモリ部に格納する機器ＩＤ付与処理手段と、前記携帯通信端末からの携帯通信端末と視聴機器との関連付け要求に対し、前記携帯通信端末を特定する情報から携帯通信端末を認識し、前記携帯通信端末によって要求されたコンテンツの種類と付与された視聴機器の機器ＩＤの中から選択された機器ＩＤに基づき、コンテンツの種類，選択された機器ＩＤおよび携帯通信端末を特定する情報の関連付けを行って、該関連付け情報を前記メモリ部に格納する視聴機器関連付け処理手段と、前記コンテンツの種類対応の操作情報を前記携帯通信端末に送信して出力させるための操作情報送信処理手段とを有し、携帯通信端末に前記操作情報が入力されて前記配信サーバ装置に送信されたとき、前記配信サーバ装置は、携帯通信端末を特定する情報に関連付けられた機器ＩＤに対し、コンテンツの種類対応の操作情報を視聴機器に送信し、視聴機器が実行するコンテンツに対する操作の制御を行うことを特徴とする。
本発明の請求項２は請求項１記載の発明において前記携帯通信端末を特定する情報は、携帯通信端末が送る利用者ＩＤまたは携帯通信端末の電話番号であることを特徴とする。  本発明の請求項３は請求項１または２記載の発明において前記コンテンツの種類は、タイトルが特定される個別のゲーム，映像，カラオケのコンテンツであり、前記タイトルが特定される個別のゲームのコンテンツに対応する操作情報は、携帯通信端末の個別キーに対応付けた右移動，左移動，発射などであり、前記タイトルが特定される個別の映像のコンテンツは、携帯通信端末の個別キーに対応付けた再生，停止，早送り，巻き戻しなどであり、前記タイトルが特定される個別のカラオケのコンテンツは、携帯通信端末の個別キーに対応つけた演奏中止，キーアップ，マイク音量大などであることを特徴とする。
【発明の効果】
【０００９】
上記構成によれば  多くのＳＴＢやＰＣ環境で表示・再生できる形成のデータ（動画・音声のデータ）を送ることができるため、対応できる視聴機器の種類を増やすことができる。また、操作に専用機器（リモコンやキーボード，専用機コントローラ）を利用する必要が無いため、異なった視聴機器であっても配信映像・音声の制御を同一の操作方法で行うことにより異なった視聴機器の操作ができる。さらに、多数の携帯通信端末により複数の利用者が一緒に制御することができるため、共同作業における操作待ちが無くなる。
【発明を実施するための最良の形態】
【００１０】
以下、図面を参照して本発明の実施の形態を詳しく説明する。
図１は、本発明による動画・音声オンデマンド配信システムの概略を示す図である。
視聴機器４，５を含めた多数の視聴機器はネットワーク３を介してデータベース１を有する配信サーバ装置２に接続される。視聴機器４はモニタ４ａ，ＰＣ本体４ｂおよびキーボード４ｃよりなるパソコンであり、視聴機器５はＴＶ５ａ，ＳＴＢ本体５ｂおよび赤外線リモコン５ｃよりなるＳＴＢである。利用者６，７はキーボード４ｃや赤外線リモコン５ｃにより従来通り、各視聴機器４，５の操作を行うことができる。
各利用者が持つ携帯電話機８は基地局９，ネットワーク３を介して配信サーバ装置２と通信することにより、配信サーバ装置２からネットワーク３を介して各視聴機器４，５の操作を行うことができる。
【００１１】
携帯電話機８からは、携帯電話機８に対応付けられた視聴機器に対し、例えば動画コンテンツが配信されている場合には動画に対し再生，早送り，逆送り，一時停止などの操作を行うことができる。また、ゲームが配信されている場合には、ゲームに関する操作が行え、例えば主人公キャラクタの足蹴り，攻撃，防御などの操作を行える。カラオケの曲の配信の場合には，カラオケの再生，停止や，キー値，リズムなどの変更操作が行える。
携帯電話機８は各利用者が個別に持っており、１つの視聴機器に対し、各利用者の携帯電話機で同時に操作することが可能である。
携帯電話機８によって各視聴機器を操作するためには各視聴機器は、配信サーバ装置２によって予め機器ＩＤ（２次元コードや英数字列などで表示）を付与されることが必要である。また、利用者は携帯電話機８を視聴機器，サービス内容（コンテンツの種類）および機器ＩＤを関連付けるため、配信サーバ装置にその設定を行い、視聴機器の操作情報を得ることが必要である。
【００１２】
利用者は携帯電話機８に自らの利用者ＩＤを入力して携帯電話機を特定するか、また携帯電話番号で携帯電話機を特定し、配信を希望するサービス内容を指定し、機器ＩＤを選択することにより上記関連付けを行うことができ、選択した視聴機器に対し操作を行うことができる。
なお、利用者ＩＤは視聴機器または携帯電話機８から予め配信サーバ装置にアクセスして登録することができる。
【００１３】
図２Ａは、本発明による動画・音声オンデマンド配信システムを構成するサーバ装置の実施の形態を示すブロック図である。本図および後述する図３，図４は本発明に直接関連する機能部のみを記載したものである。
配信サーバ装置２は、ネットワーク３を介して視聴機器，携帯電話機と通信を行うための通信部１６，サーバ装置を制御するプログラムやそれに関連するデータを格納したＲＯＭ１７，ＲＯＭ１７のプログラムを実行することによりサーバ装置全体の制御を司る制御部１５ａ，機器ＩＤ付与処理部１５ｂ，視聴機器関連付け処理部１５ｃおよび操作情報送信処理部１５ｄの各機能部を実現するＣＰＵ１５ならびにＣＰＵ１５の処理，演算などの作業エリアと一時的なデータ格納エリアとして用いられるＲＡＭ１８を備えている。
【００１４】
制御部１５ａは視聴機器４，５または携帯電話機８からの会員登録のためのアクセスがあった場合、利用者ＩＤを付与する処理を行う。
機器ＩＤ付与処理部１５ｂは、視聴機器４，５からアクセスがあって機器ＩＤ付与要求がなされた場合、視聴機器４，５の端末に対し２次元コードまたは英数字列の機器ＩＤを付与する処理を行う。
視聴機器関連付け処理部１５ｃは携帯電話機８からアクセスがあって携帯電話機番号または利用者ＩＤが入力され、視聴機器に配信されるサービス内容（ゲーム，映像，カラオケのコンテンツ）を指定し、かつ利用する視聴機器の機器ＩＤを選択することにより、携帯電話機と視聴機器と指定したサービス内容の関連付けをする処理を行う。
【００１５】
上記サービス内容は配信コンテンツであり多数のゲーム，映像，カラオケのコンテンツがデータベース１に予め格納されており、またビデオ会員登録の利用者ＩＤおよび各視聴機器に付与した機器ＩＤの情報は登録付与毎にデータベース１に書き込まれる。さらにデータベース１には携帯電話機８から関連付けされる、視聴機器名に対する機器ＩＤ，選択したコンテンツの種類，利用者ＩＤのテーブルが作成される。
操作情報送信処理部１５ｄは指定したサービス内容であるコンテンツ対応の操作情報を携帯電話機８に送信する。携帯電話機８では液晶表示部に、配信されるものがゲームコンテンツであれば、ゲームの操作情報が表示される。操作情報は例えばゲームコンテンツに対するものであればキー「１」：右移動，キー「２」：左移動，キー「３」：発射・・・などである。また、映像コンテンツに対するものであれば、キー「１」：再生，キー「２」：停止，キー「３」：巻き戻し，キー「４」早送り・・・などである。さらにカラオケコンテンツに対するものであれば、キー「＃」：再生・一時停止，キー「＊」：演奏中止，キー「４」：早送り，キー「６」：早戻し，キー「２」：キーアップ，キー「８」：キーダウン，キー「１」：マイク音量大，キー「７」：マイク音量小，キー「３」：テンポ早く，キー「９」：テンポ遅く，キー「５」：デフォルト（元に戻す）・・・などである。
【００１６】
図２Ｂは、データベースに格納されるサービス内容などの具体例である。
この例では、携帯電話機を特定する情報として携帯電話番号ではなく会員登録の利用者ＩＤを用いる場合である。
（ａ）のコンテンツの種類は、ゲーム１，ゲーム２・・・映像１，２・・・カラオケ１，２が格納され、それぞれに操作情報（操作キー情報）が対応付けられている。例えばゲーム１はタイトル○○△△のバトルゲーム，ゲーム２はタイトル□□○○のパズルゲームであり、ゲームの種類によって操作情報が同じであったり，異なったりする。例えばゲーム１はキー「１」が右移動，キー「２」が左移動・・・であるが、ゲーム２では「１」が上移動，キー「２」が戻る・・・などとなっている。カラオケおよび映像もタイトルの種類によってその操作情報は同じであったり、異なったりする。
【００１７】
（ｂ）の契約視聴機器情報登録では視聴機器からＩＤ付与要求がされる毎に、視聴機器名と付与した機器ＩＤとが加えられる。この例では視聴機器Ａ，Ｄ，Ｆに対し機器ＩＤとしてそれぞれ＃０１２３４，＃２３４５６，＃５６７８９が付与され格納されている。
（ｃ）の会員登録では、携帯電話機または視聴機器から会員登録要求がなされる毎に、会員登録名とその利用者ＩＤとが加えられる。この例では会員Ａ，Ｂに対し利用者ＩＤとして利用者ＩＤ１，ＩＤ２が付与され格納されている。
（ｄ）の課金データは、例えば会員Ａが○月○日△時△分△秒〜□時□分□秒に視聴機器Ａにゲーム１が配信されたときの課金情報として○○××が記憶される。
（ｅ）の関連付けテーブルは、視聴機器名，付与機器ＩＤ，選択したコンテンツの種類および利用会員を関連付けたもので、この例では視聴機器ＡとＦに対し、＃０１２３４と＃５６７８９，ゲーム１とカラオケ１，利用者ＩＤ１，ＩＤ２と利用者ＩＤ５，ＩＤ６，ＩＤ７がそれぞれ関連付けられている。視聴機器Ａに対して２つの携帯電話機から，視聴機器Ｆに対して２つまたは３つの携帯電話機から同時に操作することが可能となる。
【００１８】
図３は、本発明による動画・音声オンデマンド配信システムを構成するＳＴＢの実施の形態を示すブロック図である。
ＳＴＢ本体５ｂにはモニタ５ａ，スピーカ３３，マイク３４が接続されており、リモコン５ｃが付属している。
ＳＴＢ本体５ｂはネットワーク３を介して配信サーバ装置２と通信を行う通信部２６，ＳＴＢ制御部２５ａ，ＩＤ付与要求部２５ｂの機能を有するＣＰＵ２５，リモコン５ｃの操作情報を受光する受光部２７，ＳＴＢ本体５ｂ前面に配置されている操作部２８および液晶表示部２９，メモリ部３０，ＳＴＢ本体を制御するプログラムおよびそのデータを格納するＲＯＭ３１ならびにスピーカ３３およびマイク３４の入出力を制御するサウンド制御部３２を備えている。
【００１９】
ＳＴＢ制御部２５ａは、要求によって配信サーバ装置２から配信されるカラオケコンテンツ，映像コンテンツまたはゲームコンテンツを受信し、配信されたコンテンツをメモリ部３０に保存する。そして、利用者が行うリモコン５ｃ，操作部２８からの再生指示や実行指示または利用者が通信部２６を介して送ってくる携帯電話機８からのコンテンツ操作情報により再生したり，実行したりすることができる。利用者はコンテンツの再生中や実行中においてもこのＳＴＢに対し関連付けられた利用者の携帯電話機によってその場面にあった操作信号を入力しコンテンツをリアルタイムで操作することができる。
ＩＤ付与要求部２５ｂは、利用者が配信サーバ装置２に対しアクセスし、このＳＴＢに対し機器ＩＤを付与させるための処理を行うものである。これにより配信サーバ装置２から送られてくる付与された機器ＩＤはモニタ５ａに表示される。なお、スピーカ３３から音声によってのみ、またはモニタ５ａと音声の両出力によって機器ＩＤを表示することも可能である。
【００２０】
図４は、本発明による動画・音声オンデマンド配信システムを構成する携帯通信端末の実施の形態を示すブロック図である。
アンテナ５０からの受信信号は送受分離器５１で受信部５２に入力されて復調され、復調信号はデータ処理部５４に送られる。データ処理部５４では、デコード処理され，多重信号がチャネル分離され、サウンド処理部５５で音声圧縮データがデコードされた後、アナログ信号に変換されてスピーカ５６より出力される。マイク５７に入力した音声はサウンド処理部５５でディジタル信号に変換された後、音声圧縮され、データ処理部５４でチャネル多重化されコード化処理され、送信部５３で変調され、送受分離器５１を介してアンテナ５０より送信される。
着呼，発信の際、ＣＰＵ５８の電話制御機能部５８ａがキー入力部６２の操作に従って上記各回路部を制御することより通話が可能となる。また、ネットワーク上の配信サーバ装置２にアクセスし、データ送受信制御部５８ｂによりデータを送信したり、配信サーバ装置２からのデータを受信したりすることができる。
【００２１】
視聴機器関連付け要求制御部５８ｃは、利用者がキー入力部６２の特定キーを押して視聴機器関連付け要求を行うと、予め登録した利用者ＩＤを入力するための画面を表示し、利用者に利用者ＩＤを入力するように促し、利用者ＩＤが入力されるとデータ送受信制御部５８ｂに制御を渡す。この情報は配信サーバ装置２に送信される。
配信サーバ装置２の視聴機器関連付け処理部１５ｃでは利用者ＩＤを受けると、配信を希望するサービス内容を指定して機器ＩＤを選択するための画面を携帯電話機８に送る。
視聴機器関連付け要求制御部５８ｃは利用者が配信サーバ装置からの画面によってサービス内容を選択するとともに機器ＩＤを入力すると、データ送受信制御部５８ｂに制御を渡す。この情報は配信サーバ装置２に送信される。
配信サーバ装置２の視聴機器関連付け処理部１５ｃではサービス内容および機器ＩＤを得ると、これら情報の関連付けを行い、サービス内容対応の操作情報を携帯電話機８に送信する。
視聴機器関連付け要求制御部５８ｃは操作情報をメモリ部５９に格納するとともに液晶表示部６３に表示する。このようにしてサービス内容と視聴機器と携帯電話機の関連付けが行われ一つの操作系および表示系が形成されて利用者は携帯電話機の各キーに対する操作情報の詳細を知って携帯電話機から補聴機器への操作が可能となる。
【００２２】
図５は、本発明によるシステムの会員登録の手順を示すフローチャートである。
視聴機器のＳＴＢ制御部２５ａは会員登録のために配信サーバ装置２にアクセスする（ステップ（以下「Ｓ」という）５０１）。配信サーバ装置２の制御部１５ａは会員登録用の選択画面を表示するための指示を返信する（Ｓ５０２）。視聴機器のＳＴＢ制御部２５ａは選択画面に会員登録情報が入力されたか否かを監視し、会員登録情報が入力された場合にはその情報を配信サーバ装置２に送信する（Ｓ５０３，Ｓ５０４）。配信サーバ装置２の制御部１５ａは会員登録処理を行い、その利用者に対しＩＤを付与し、データベース１にその会員に対する利用者ＩＤを記憶する（Ｓ５０５）そして、ＳＴＢのモニタ５ａの画面に登録終了と利用者ＩＤを表示する（Ｓ５０６）。利用者は携帯電話機で視聴機器と関連付けする場合にこの利用者ＩＤを用いることとなる。なお、この会員登録は携帯電話機から行うこともできる。
図２Ｂ（ｃ）に会員登録情報の一例を示す。
【００２３】
図６は、本発明によるシステムの視聴機器の機器ＩＤ付与の手順を示すフローチャートであり、ＳＴＢ５の視聴機器に機器ＩＤを付与する場合の例である。
ユーザが操作部２８またはリモコン５ｃによって機器ＩＤ付与のために配信サーバ装置２にアクセスするための操作を行うと、ＳＴＢ本体５ｂのＩＤ付与要求部２５ｂは、モニタ５ａに利用者ＩＤ入力のための画面を開く。利用者が会員であることを示す利用者ＩＤを入力し確定させると、配信サーバ装置２に対しアクセスする（Ｓ６０１）。サーバ制御部１５ａは会員からのアクセスであることを確認すると、携帯端末サービス画面をＳＴＢ５に送信する（Ｓ６０２）。ＳＴＢ５のモニタ５ａには携帯端末サービス画面を表示する。携帯端末サービス画面では機器ＩＤ付与のサービスの他、天気予報やニュースなどの種々のサービスも選択可能である。利用者はこの画面を確認して機器ＩＤ付与のサービスを操作部２８，リモコン５ｃより選択することとなる。利用者が機器ＩＤ付与のサービスを選択するとその情報は配信サーバ装置２に送信される（Ｓ６０３，Ｓ６０４）。
【００２４】
配信サーバ装置２のサーバ制御部１５ａはこの情報を受け取ると制御を機器ＩＤ付与処理部１５ｂに引き渡す。機器ＩＤ付与処理部１５ｂは視聴機器のＳＴＢ５に機器ＩＤを付与し、付与した機器ＩＤと視聴機器名とを対応付けてデータベース１に保存する（Ｓ６０５）。図２Ｂ（ｂ）に契約視聴機器情報（視聴機器Ａと機器ＩＤである＃０１２３４の対応付けなど）の保存した例を示す。
つぎに機器ＩＤ付与処理部１５ｂからサーバ制御部１５ａに制御が渡され、サーバ制御部１５ａは付与した機器ＩＤをＳＴＢ５に送信する。ＳＴＢ５のＳＴＢ制御部２５ａは付与された機器ＩＤをモニタ５ａに表示する（Ｓ６０６）。利用者はこのようにしてＳＴＢ５に機器ＩＤを付与させることができる。
この登録が行われた後，配信サーバ装置２のサーバ制御部１５ａは図８で説明するようにＳＴＢ５の電源の状態を監視しており、ＳＴＢ５の電源がオフになれば、データベース１の（ｂ）の契約視聴機器情報のＳＴＢ５に対応する付与機器ＩＤを消去する。同時に後述する関連テーブル上の対応する関連付け情報も消去する。同じ利用者が同じサービスを新たに受けるためには、再度、機器ＩＤの付与が必要となる。
視聴機器がＰＣの場合でも同じような手順によって機器ＩＤが付与される。
【００２５】
図７は、本発明によるシステムの携帯通信端末によるサービス設定の手順を示すフローチャートである。
利用者がキー入力部６２の特定キーを押して視聴機器関連付け要求を行うと、視聴機器関連付け要求制御部５８ｃは、予め登録した利用者ＩＤを入力するための画面を表示し、利用者に利用者ＩＤを入力するように促す。視聴機器関連付け要求制御部５８ｃは利用者ＩＤが入力されるとデータ送受信制御部５８ｂに制御を渡し、この情報が配信サーバ装置２に送信される（Ｓ７０１）。配信サーバ装置２の視聴機器関連付け処理部１５ｃは利用者ＩＤを受けると、配信を希望するサービス内容（ゲーム１，２・・・映像１，２・・・，カラオケ１，２・・・の各コンテンツの種類）を指定するため画面を携帯電話機８に送る（Ｓ７０２）。携帯電話機８の視聴機器関連付け要求制御部５８ｃは液晶表示部６３にこの画面を表示し、サービス内容の選択を促す。利用者がサービス内容を選択すると、その情報は配信サーバ装置２に送られ、視聴機器関連付け処理部１５ｃではつぎに視聴機器を選択するための画面を携帯電話機８に送る（Ｓ７０３，Ｓ７０４）。
【００２６】
携帯電話機８の視聴機器関連付け要求制御部５８ｃは液晶表示部６３にＩＤ機器を選択する画面を表示し、ＩＤ機器の選択を促す。選択すべき視聴機器の機器ＩＤは図２Ｂの（ｂ）契約視聴機器情報として登録されているものが対象となる。利用者が機器ＩＤを選択する（Ｓ７０５）と、視聴機器関連付け要求制御部５８ｃはデータ送受信制御部５８ｂに制御を渡し、この情報が配信サーバ装置２に送信される。
配信サーバ装置２の視聴機器関連付け処理部１５ｃはサービス内容および機器ＩＤを得ると、これら情報の関連付けを行い、データベース１の関連付けテーブルに関連付けた情報を格納する。そして携帯電話機８に対しサービス内容対応（ゲーム１など）の操作情報を送る（Ｓ７０６）。図２Ｂ（ｅ）に関連付けテーブルの例を示す。この例では、機器ＩＤが＃０１２３４の視聴機器Ａは選択したコンテンツの種類がゲーム１であり、利用者ＩＤ１とＩＤ２とが操作可能となっている。なお、各利用者は同じ視聴機器，同じコンテンツの種類に対しそれぞれ自らの携帯電話を関連付けする場合は利用者ＩＤを自らの携帯電話機から別に同じ視聴機器，同じコンテンツの種類に対し関連付け手続きを行うこととなる。
【００２７】
携帯電話機８の視聴機器関連付け要求制御部５８ｃは操作情報の内容をメモリ部５９に格納するとともに液晶表示部６３に表示する（Ｓ７０７）。操作情報は例えばゲーム１ではキー「１」：右移動，キー「２」：左移動，キー「３」：発射の操作である。これにより利用者は携帯電話機の各キーに対する操作情報の詳細を知ることができ携帯電話機から配信サーバ装置を介して視聴機器の操作制御が可能となる。
【００２８】
図８は、本発明によるシステムの携帯通信端末による視聴機器の操作の手順を示すフローチャートである。
配信サーバ装置２のサーバ制御部１５ａは現在まで付与した機器ＩＤの視聴機器の電源がオフになったか否かを監視している（Ｓ８０１）。電源オフになった場合にはその視聴機器のデータベース１の（ｂ）の契約視聴機器情報の対応する視聴機器に与えたＩＤを消去し、同時に関連付けテーブルの対応する視聴機器の関連付け情報を消去する（Ｓ８０２）。一方、電源オンが継続されている場合には機器ＩＤが付与された視聴機器から携帯電話機８で選択されたサービス内容（映像１などコンテンツの種類）の配信が要求されたかを監視する（Ｓ８０３）。要求された場合には要求した視聴機器にサービス内容のデータすなわち映像１であれば、映像１のデータを送信する（Ｓ８０４）。
【００２９】
配信された映像１が例えばＳＴＢ５であれば、ＳＴＢ制御部２５ａは映像１をメモリ部３０に格納してユーザ操作により再生を行うことが可能となる（Ｓ８０５）。
つぎに配信サーバ装置２のサーバ制御部１５ａは携帯電話機８から操作情報が入力したか、すなわち視聴機器操作情報が入力可能状態で、配信された映像を操作するキー「１」，キー「２」などが入力された否かを監視する（Ｓ８０６）。そして携帯電話機８では画面に操作情報が表示されているため、ユーザは配信された映像１に対しどのような操作を行いたいかによってキーを選択することができる。
サーバ制御部１５ａは利用者が操作情報を入力した場合、その操作情報を受信し、制御を操作情報送信処理部１５ｄに渡す。操作情報送信処理部１５ｄは、携帯電話機８の利用者ＩＤによってデータベース１の関連付けテーブルから関連付け情報を得て、機器ＩＤを付与された対応の視聴機器に対し、配信されているコンテンツの種類を特定する。そして、特定したコンテンツの種類に基づきデータベース１の（ａ）のサービス内容登録情報から入力した操作情報に対する操作制御情報を読み出し、操作制御情報を対応の視聴機器に送信する（Ｓ８０７）。
【００３０】
例えば、図２Ｂ（ｅ）の関連付けテーブルにおいて携帯電話機８が利用者ＩＤ１であれば、機器ＩＤが＃０１２３４の視聴機器Ａに対し、ゲーム１が配信されており、キー「１」の操作信号が入力されていれば、右移動の操作制御信号が送られる。制御信号が送られた視聴機器は、制御を受けることとなる（Ｓ８０８）。配信サーバ装置２のサーバ制御部１５ａは視聴機器でコンテンツの再生が終了したか否かを監視しており（Ｓ８０９）、終了していない場合には引き続き操作情報が携帯電話機８から入力するか監視する動作に戻る。終了した場合には、Ｓ８０１の視聴機器の電源オフの監視に戻る。
視聴機器に映像などのコンテンツが配信された場合には図示しない処理によって課金され、その課金情報は図２Ｂ（ｄ）に示されるようにデータベース１に記憶される。
なお、上述したように複数の携帯電話機から同じ視聴機器に対し同じコンテンツの種類に対し関連付けできるが、２番目以降に関連付けする携帯電話機は最初に関連付けした携帯電話機の利用者に了解をとってのみ利用が可能となる。
【００３１】
このようにして携帯通信端末から操作可能とすれば、利用者は視聴機器の違いに関わらず、携帯電話機などによる固定した操作方法で操作することが可能となる。また、同時に複数の人が操作を行うことが容易となる。
以上の実施の形態では図２Ｂに示すような関係に対応付けて各データの登録情報および関連付け情報のテーブルを保存する例を示したが、各データ間および関連付け情報は必ずしも図２Ｂに示すような形式で登録する必要はなく、他の形式で各データ間および関連付け情報を登録しても良い。例えば、関連付けテーブル中に操作情報も加えた形式のテーブルにしても良い。
【産業上の利用可能性】
【００３２】
ゲームコンテンツ，映像コンテンツ，カラオケコンテンツなどをＳＴＢやＰＣなどの視聴機器に配信し、携帯通信端末から視聴機器を操作することを可能にするオンデマンド配信システムである。
【図面の簡単な説明】
【００３３】
【図１】本発明による動画・音声オンデマンド配信システムの概略を示す図である。
【図２Ａ】本発明による動画・音声オンデマンド配信システムを構成するサーバ装置の実施の形態を示すブロック図である。
【図２Ｂ】図２Ａのデータベースに格納されるサービス内容などの具体例である。
【図３】本発明による動画・音声オンデマンド配信システムを構成するＳＴＢのの実施の形態を示すブロック図である。
【図４】本発明による動画・音声オンデマンド配信システムを構成する携帯通信端末の実施の形態を示すブロック図である。
【図５】本発明によるシステムの会員登録の手順を示すフローチャートである。
【図６】本発明によるシステムの視聴機器の機器ＩＤ付与の手順を示すフローチャートである。
【図７】本発明によるシステムの携帯通信端末によるサービス設定の手順を示すフローチャートである。
【図８】本発明によるシステムの携帯通信端末による視聴機器の操作の手順を示すフローチャートである。
【図９】従来の動画・音声オンデマンド配信システムの概略を説明するための図である。
【符号の説明】
【００３４】
１  データベース  
２  配信サーバ装置  
３  ネットワーク  
４  視聴機器（ＰＣ）
４ａ  ディスプレイ
４ｂ  ＰＣ本体
４ｃ  キーボード
５  視聴機器（ＳＴＢ）
５ａ  ＴＶ
５ｂ  ＳＴＢ本体
５ｃ  赤外線リモコン
６，７  ユーザ
８  携帯電話機
９  基地局
１５，２５，５８  ＣＰＵ
１６  通信部
１７，３１  ＲＯＭ
１８  ＲＡＭ
２７  受光部
２８  操作部
２９，６３  液晶表示部
３０  メモリ部
３３，５６  スピーカ
３４，５７  マイク
５０  アンテナ
５１  ＤＵＰ
５２  受信部
５３  送信部
５４  データ処理部
５５  サウンド処理部
５９  メモリ部
６２  キー入力部
【図１】
2008022121.tif 000003
【図２Ａ】
2008022121.tif 000004
【図２Ｂ】
2008022121.tif 000005
【図３】
2008022121.tif 000006
【図４】
2008022121.tif 000007
【図５】
2008022121.tif 000008
【図６】
2008022121.tif 000009
【図７】
2008022121.tif 000010
【図８】
2008022121.tif 000011
【図９】
2008022121.tif 000012